(57)【要約】  複数の感知された生体データを使用してリモートネットワーク装置と交流するために、着用者の衣類のセンサプラットフォームを使用する方法であって、複数の生体データのセットをセンサから受信することと、複数のモデルデータパラメータを含むデータモデルと当該セットを比較することと、ネットワーク装置の動作特性に変化をもたらすために、前記比較が、リモートネットワーク装置に送信されるべきコマンドの必要性を示すかどうかを判定することと、前記コマンドを前記ネットワーク装置に送信することと、前記複数の生体データのさらなるセットを受信することと、前記さらなるセットを前記データモデルとさらに比較することと、前記ネットワーク装置の動作特性にさらに変化をもたらすために、前記さらなる比較が、前記リモートネットワーク装置に送信されるべきさらなるコマンドの必要性を示すかどうかを判定することとを含む方法である。
2020527065.tif 000002
【特許請求の範囲】
【請求項１】
複数の感知された生体データを使用してリモートネットワーク装置と交流するために、着用者の衣類のセンサプラットフォームを使用する方法であって、
複数の生体データのセットをセンサから受信することと、
複数のモデルデータパラメータを含むデータモデルと当該セットを比較することと、
ネットワーク装置の動作特性の変更をもたらすために、前記比較が、リモートネットワーク装置に送信されるべきコマンドの必要性を示すかどうかを判定することと、
前記コマンドを前記ネットワーク装置に送信することと、
前記複数の生体データのさらなるセットを受信することと、
前記さらなるセットを前記データモデルとさらに比較することと、
前記ネットワーク装置の動作特性にさらに変化をもたらすために、前記さらなる比較が、前記リモートネットワーク装置に送信されるべきさらなるコマンドの必要性を示すかどうかを判定することと、
を含む方法。
【請求項２】
前記データモデルが、身体的及び精神的状態からなる群から選択される状態を表す、請求項１の方法。
【請求項３】
前記衣類は、前記着用者の皮膚に隣接して着用するように構成される、請求項１の方法。
【請求項４】
着用者装置の衣類のセンサプラットフォームの複数の感知された生体データを処理する方法であって、
複数の生体データのセットを受信することと、
複数のモデルデータパラメータを含むデータモデルと当該セットを比較することと、
前記比較が、着用者または別のネットワーク装置に送信されるべき通信の必要性を示すかどうかを判定することと、
ネットワーク装置に通信を送信することと、
複数の生体データのさらなるセットを受信することと、
前記さらなるセットを前記データモデルとさらに比較することと、
前記さらなる比較が、さらなる通信の必要性を示すかどうかを判定することと、
を含む方法。
【発明の詳細な説明】
【技術分野】
【０００１】
関連出願の相互参照
本出願は２０１７年７月５日に出願された米国仮特許出願第６２／５２８，５６５号からの優先権を主張するものであり、その全内容は、参照により本明細書に組み込まれる。
本開示は、生体データのための双方向センシングシステムに関する。
【背景技術】
【０００２】
今日の技術に基づく環境における生体データのセンシングは衣類着用者の状態を理解し、それに影響を及ぼすための鍵となるものである。特に、運動選手及び医療上の患者は、多くの他の消費者の中でも、着用者の近傍にあるネットワーク装置の動作特性に影響を与える（例えば、変化させる）ために、非常に正確で最新の（すなわち、リアルタイムの）生体センシングをより必要とする重要な個人である。しかしながら、最新技術のセンサ装置及びデータ処理方法は扱いにくく、着用者の常に変化する身体的及び精神的状態を含む様々な生活様式への適用性及び適応性が限られている。
【発明の概要】
【０００３】
本発明の目的は、上記の欠点の少なくとも１つを除去又は軽減するためのセンシングプラットフォーム及びその使用方法を提供することである。
【０００４】
提供されるある側面は、複数の感知された生体データを使用してリモートネットワーク装置と交流するために、着用者の衣類のセンサプラットフォームを使用する方法であって、複数の生体データのセットをセンサから受信することと、複数のモデルデータパラメータを含むデータモデルと当該セットを比較することと、ネットワーク装置の動作特性に変化をもたらすために、前記比較が、リモートネットワーク装置に送信されるべきコマンドの必要性を示すかどうかを判定することと、前記コマンドを前記ネットワーク装置に送信することと、前記複数の生体データのさらなるセットを受信することと、前記さらなるセットを前記データモデルとさらに比較することと、前記ネットワーク装置の動作特性にさらに変化をもたらすために、前記さらなる比較が、前記リモートネットワーク装置に送信されるべきさらなるコマンドの必要性を示すかどうかを判定することとを含む方法である。
【図面の簡単な説明】
【０００５】
上記及び他の側面は、添付の図面を参照して、単に例として記載され：
【０００６】
【図１】図１は、複数のセンサを含むバンドの斜視図である；
【０００７】
【図２】図２は、衣料品に組み込まれた図１に示すバンドの図である；
【０００８】
【図３】図３は、図１に示すバンドの一実施形態を、関連する電気部品と共に示す；
【０００９】
【図４】図４は、生体データの組み合わせの適用例を示す；
【００１０】
【図５】図５は、図１のバンドのさらなる実施形態の正面斜視図を示す；
【００１１】
【図６】図６は、図５の更なる実施形態の後方斜視図を示す；
【００１２】
【図７】図７は、図５のバンドに取り付けられたセンサの側面図を示す；
【００１３】
【図８】図８は、図１のセンサのさらなる実施形態を示す；
【００１４】
【図９】図９は、図１のセンサのさらなる実施形態を示す；
【００１５】
【図１０】図１０は例として、図１に示されるセンサプラットフォームのために、生体データを処理し、その上で動作するためのシステムのブロック図を示す；
【００１６】
【図１１】図１１は、図１０のシステムのインタラクションサービスのブロック図である；
【００１７】
【図１２】図１２は、図１０のシステムの例示的な動作のフローチャートである。
【発明を実施するための形態】
【００１８】
図１を参照すると、織物バンド１０が示されており、これは、好ましくは弾性ニットタイプを有し、バンド１０の本体を構成する織物に配置されるか、又は編まれる／織られる（例えば、刺繍される）センサ１２のタイプ／数に基づいて、異なるモード／タイプの生体データを収集するために着用者（図示せず）の身体部分の周りにフィットするようにされている。身体部分は以下に限定されるものではないが、腰又は腹部、脚又は腕のような四肢、胴体／体幹、臀部、足又は足首、手首又は手、及び／又は頭部とすることができることが認識される。織物バンド１０は独立した物品として提供することができ、又は、これらに限定されないが、下着１１（これらに限定されないが、ジョッキーショーツ、パンティ、アンダーシャツ、及びブラジャーを含む任意のタイプの下着など、図２を参照されたい）、靴下、肢バンド（例えば、膝バンド）、シャツ（例えば、アンダーシャツ）などのような衣料品に組み合わせる／組み合わせることができる。衣料品（すなわち、衣類１１）に組み合わされることに関して、バンド１０は、衣類１１を構成する繊維を織り合わせて一体化される構成要素として形成し得る。バンド１０の本体の織物は、織り合わされた弾性繊維（例えば、伸縮性の天然及び／又は合成材料及び／又は伸縮性及び非伸縮性材料の組み合わせ）から構成され得る。
【００１９】
再び図１を参照すると、ＥＣＧセンサ１２ａ、バイオインピーダンスセンサ１２ｂ及び歪みゲージセンサ１２ｃを含む一連のセンサ／電極１２が、バンド１０の周りに分配されて設けられ、例えば、内面１１１（すなわち、着用者の身体に向かって内側に面している）に取り付けられる。センサ１２は電気活性ポリマー、すなわちＥＡＰ及び／又はセンサ／電極構成（例えば、パッチ）に構築された複数の導電性繊維の織物又は編物から構成され得ることが認識されている。センサ１２はまた、着用者の物理的位置（例えば、自宅／建物の内部又は外部の位置）を検出することができるように、位置／場所センサを含むこともできる。
【００２０】
また、バンド１０上、例えば、外面１３（すなわち、着用者から外向きに面している）には、コンピュータプロセッサ１６、センサ１２から得られたデータを受信し処理するための記憶された命令を実行し、ネットワークインターフェース２０（例えば、Ｗｉ−Ｆｉ（登録商標）、Ｂｌｕｅｔｏｏｔｈ（登録商標）、取り付けられた有線ケーブルなど）を介してネットワーク２２と通信し、センサ１２から電気信号を送受信するためのメモリ１８を含むコンピュータ装置１４（図３参照）を含む一連の電気部品１５が配置されている。プロセッサ１６、メモリ１８及びネットワークインターフェース２０は、バンド１０に取り付けられたハウジング２４内に収容されたプリント回路基板２６上に取り付けられている。また、ＰＣＢ２４には、着用者の体温を測定するための温度センサ１２ｄも接続されている。又ハウジング内には、ハウジング２４内の様々な電気部品１５に電力を供給するための電源２８（例えば、バッテリ）と、ハウジング２４の外部のセンサ１２ａ、ｂ、ｃとが取り付けられており、これらのセンサは導電性通信経路３０（例えば、ワイヤ（図１参照）であって、バンド１０布地の織物／編物に織り込まれている）を介して接続されている。経路３０は、必要に応じて、導電性はとめを用いてセンサ１２に連結することができる。また、以下でさらに説明する姿勢を含む着用者の動きを決定するための一連の運動センサ３６（例えば、加速度計及びジャイロスコープ）も提供される。センサ１２はまた、スピーカ／マイクロフォン（例えば、着用者との聴覚信号／通信のための）、照明センサ（例えば、着用者との視覚信号／通信のためのＬＥＤ）、及び触覚／振動センサ（例えば、動作／タッチ信号／着用者との通信のためのアクチュエータ）として提供されてもよい。
【００２１】
センサ例
センサ１２は電気活性ポリマー、すなわちＥＡＰから構成することができ、これは電界によって刺激されたときにサイズ又は形状の変化を示すポリマーである。ＥＡＰＳはまた、機械的変形によって刺激される場合、電場の変化も示し得るであろう。このタイプの材料の最も一般的な用途は、アクチュエータ及びセンサである。ＥＡＰの標準的な特性は、それらが力を支持しながら変形を受けることである。例えば、最適な導電率、柔軟性、及び製造の容易さのための様々な添加剤を含有するＥＰＤＭゴムを、着用者の人間の皮膚上で測定される電極インピーダンスを測定するためのセンサ１２材料として使用することができる。さらに、ＥＡＰを用いて、ＥＣＧを測定し、また変形を測定することができる（すなわち、ウエストの拡張、したがって呼吸をＥＡＰから推測することができる）。ＥＣＧは、所望に応じて、表面電極、織物又はポリマーを用いて測定することができる。
【００２２】
これらの電極１２は、経路３０を介してハウジング２４内の電気部品１５の能動回路に結合されたときに、ＥＣＧのような生体電位信号を記録することができ、一方ＥＥＧのような低振幅信号用でもある。ＥＣＧセンサ１２ａは着用者の心拍数を反映するコンピュータプロセッサ１６への信号を収集し送信するために使用することができる。そのようなものとして、センサ１２としての電極は、所望に応じて、バンド１０の導電性糸／繊維（例えば、導電性繊維（例えば、銀線／糸）を使用する、編まれた、織られた、刺繍）から構成され得ることが認識されている。
【００２３】
生体電気インピーダンスに関して、これらのセンサ１２ａ、ｂ及びそれらの測定値は、身体組成、特に体脂肪を推定するためのプロセッサ１６及びメモリ１８の命令を介して分析（ＢＩＡ）に使用することができる。体脂肪を推定することに関して、ＢＩＡは実際に、電気インピーダンス、すなわちセンサ１２（例えば、１２ａ、ｂ）の間に挿入された着用者の身体組織を通る電流の流れに対する抵抗を決定し、次いで、これを使用して総体水分（ＴＢＷ）を推定することができ、これは、除脂肪体重、及び体重との違いにより、体脂肪を推定するために使用することができる。
【００２４】
歪み感知に関しては、これらのセンサ１２ｃが電気伝導度の物理的特性及び導体の幾何学的形状への依存性を利用する歪みゲージとして動作させることができる。導電体１２ｃがその弾性の限界内で伸張されて、それが破損したり永久的に変形したりしないとき、センサ１２ｃはより狭まり、より長くなり、その電気抵抗を端から端まで増大させるように変化する。逆に、センサ１２ｃが座屈しないように圧縮されると、センサ１２ｃは広がり、短くなり、その電気抵抗を端から端まで減少させるように変化する。歪みゲージの測定された電気抵抗から、メモリ１８に記憶された命令に基づいて動作するコンピュータプロセッサ１６を介してセンサ１２に与えられる電力２８を介して、誘起された応力の量を推定することができる。例えば、平行線のジグザグパターンの長くて薄い導電性繊維として配置された歪みゲージ１２ｃは、平行線の向きの方向の少量の応力が、単一の直線導電性ワイヤで観察されるよりも、導電性線のアレイ内の導体表面の有効長さにわたって、倍数的に大きい歪み測定値をもたらし、したがって、倍数的に大きい抵抗変化をもたらすようである。歪みゲージ１２ｃの位置／構造に関して、歪みゲージはバンド１０の周囲に配置することができる。さらなる実施形態では、歪みゲージ１２ｃがバンド１０の前５２の部分（着用者の前部に隣接して配置される）に配置される、周囲の一部、例えば蛇行配置に位置する場合である。歪みゲージ１２ｃは、ｋオームの範囲で感知するように構成することができる。
【００２５】
温度センサ１２ｄに関しては、このセンサは衣類の動的体温を測定するために使用される。例えば、温度センサ１２ｄはサーミスタタイプのセンサであってもよく、それはその主要な機能が体温の対応する変化を受けたときに、大きく予測可能で正確な電気抵抗の変化を示すことである感熱抵抗器である。例は、体温の上昇を受けたときに電気抵抗の減少を示す負温度係数（ＮＴＣ）サーミスタ、及び体温の上昇を受けたときに電気抵抗の増加を示す正温度係数（ＰＴＣ）サーミスタを含み得る。他の温度センサタイプは、所望に応じて、熱電対、抵抗温度計及び／又はシリコンバンドギャップ温度センサを含み得る。センサ１２は、コンピュータプロセッサ１６によってオンボードで処理された感知データ４４及び／又はインターフェース２０を介してサードパーティ装置６０又は着用者（コンピュータ装置４０の操作者）から受け取った命令に応答して、コンピュータプロセッサ１６を介して作動させることができる触覚フィードバックセンサを含むことができることも認識されている。温度センサ１２ｄの別の例は、より正確な温度読み取り値を得るために、織物を使用して熱電対をバンド１０の織物に編み込み、密接／接触によって着用者の身体に直接結合することができ得る場合である。
【００２６】
感知データ及び処理
再び図２及び図３を参照すると、プロセッサ１６（メモリ１８に記憶された命令に基づいて動作する）は収集されたデータ４４を（生のフォーマットで及び／又はセンサ１２からの前処理されたフォーマットで）外部コンピュータ装置４０（例えば、スマートホン又は他のデスクトップアプリケーション）に送信して、感知データを閲覧及び／又はさらなる処理することができる。例えば、装置４０のアプリケーションは、着用者（又はデータ４４へのアクセスが提供された着用者以外の別の人物）が見るために、感知データ４４をディスプレイ４２（又は他のタイプのＧＵＩインターフェース）上にダッシュボードタイプフォーマット４６で表示することができる。例えば、感知データ４４は：皮膚温度の変動を示すための体温；着用者の身体活動（すなわち、感知された動きを介して）の量／程度を示すため、及び着用者の姿勢のジャイロスコープ読み取り値（例えば、バンド１０が着用者の腰に位置する場合）ならびに消費されたカロリー数の決定された計算を介して寄与する、ジャイロスコープ／加速度計測定値；バンド１０が拡張及び収縮するときの着用者のリアルタイム呼吸を示すための歪みゲージ測定値（例えば、導電性糸を介して）ならびに姿勢角に寄与する歪みの程度を区別する能力（すなわち、図２の下着１１の例の場合、腰での屈曲による着用者の姿勢の変化に伴って長さが変化するときのバンド及び関連する歪みセンサ１２ｃ）；センサ１２ａを使用して感知されたＥＣＧデータに基づくリアルタイム心拍数測定値；及びセンサ１２ｂ（及び任意選択的に、以下でさらに説明する１２ａ）を使用するガルバニックセンシングに基づくリアルタイム水分量／体脂肪測定；のリアルタイム（又は他の選択された動的周期周波数）を示すダッシュボードフォーマットで提供され得る。
【００２７】
感知されたデータの複数のソース（例えば、活動／運動センサ３６を備えた温度センサ１２ｄは体温と組み合わされた活動に基づいて消費されたカロリーを計算するために、メモリ１８に記憶されたアルゴリズムにおいて使用され得る）が認識されている。感知データタイプの他の組み合わせは以下に限定されるものではないが：活動データと心拍数；温度を有する活動データと心拍数；生体インピーダンスデータと活動データ；運動レベルの決定のための活動データ及び心拍数データと、呼吸数データ決定のための歪みゲージ；などの組み合わせを含むことができる。また、センサタイプの読み取り値の組み合わせをコンピュータプロセッサ１６で使用して、標準的なセンサデータを有する活動タイプのコンピュータモデルに基づいて、着用者によって実行されている運動活動タイプを決定することができ、例えば、心拍数及び呼吸がより低いレベルが検出される身体姿勢の漸進的な変化は、着用者がヨガを行っていることを示すことができることが理解される。さらなるタイプの複数の感知データの用途は、加速度計及びジャイロスコープデータのためであり得、その結果、両方が使用され得るか又は一方が使用され得、そして他方がダッシュボード４６の選択された測量の決定の間には考慮されない。例えば、バンド１０が過体重の人の腰に位置している場合、ジャイロスコープが「垂直から外れた」とする読み取り値を示す事は、（垂直からの）曲がった姿勢を示すものではなく、むしろ身体組成のために折り畳まれたウエストバンドによるものであろう。したがって、ジャイロスコープの読み取り値の程度は、姿勢決定の計算から差し引かれる。
【００２８】
図１を再度参照すると、センサ１２ａ，ｂの位置はセンサ１２ａ，ｂの間に適切な量の体の部分を位置づけるとともに、着用者の体格（例えばクロスボディ測定）を経る適切な導電性経路を提供するために、中心線５０のそれぞれの側にペアとして位置づけられるようになっている。また、筋肉ノイズ（筋肉の作用が隣接するセンサ１２に信号ノイズを導入する可能性がある）が最小限に抑えられる身体領域にセンサ１２ａ、ｂを配置することが好ましいことも認識されている。したがって、センサ１２ａ、ｂはバンド１０が腰部に配置される場合に、着用者の腰及び／又は腎臓に隣接して配置する位置でバンド１０内に配置することができる。着用者のどちらかの腰に隣接するようにバンド１０内にセンサ１２ａ、ｂを配置すること、すなわち、バンド１０の中心線５６の一方の側に対の両方のセンサ１２ａ、ｂを配置することは、着用者の活動が抑制されている（例えば、休息している）ときに、より低い信号振幅／品質を提供するが、着用者が活動しているときに（腰領域に隣接する利用される筋肉塊の存在が腰部の周りの他の領域と比較して最小であるため）、信号品質の向上を有利に提供することも認識されている。
【００２９】
センサ１２ａ、ｂの位置は、標準的な着用者のための分離距離が前から後ではなく、側部から側部へと大きくなっている（つまり、脊柱とへそとの間に対して腰の間が広い）ので、（着用者の）左右に延びる中心線５６のそれぞれの側ではなく、前後へ延びる中心線５０のそれぞれの側に配置することができることも認識されている。
【００３０】
さらに、センサ構成の１つの例示的な選択肢は、４電極ＥＣＧセンサ構成である。このようなＥＣＧ設計のコストは要因となり得るが、この設計は潜在的に、より良好な信号性能を与え得るであろう。４センサＥＣＧ設計の背後にある理論は、プロセッサ１６が（複数対ＥＣＧセンサ構成の）各センサ対の間で切り替えて、最良の信号品質を有するセンサを見つけ、着用者の感知された動きの間にそのセンサを使用することができるということである。
【００３１】
再び図３を参照すると、プロセッサ１６及び関連するメモリ１８に記憶された命令は、ＥＣＧセンサ１２ａ及びセンサ１２ｂの両方を同時に利用することによって、（受信されたセンサ１２の読み取り値に基づいて）バイオインピーダンス値を決定するために使用され得る。これは、センサ１２ｂによって生成される信号振幅がＥＧＣセンサ１２ａを過飽和にするために、（センサ１２ａを使用する）ＥＧＣ感知が（センサ１２ｂを使用する）生体インピーダンス感知と同時に起こることができないので、有利である。したがって、プロセッサ１６はＥＣＧ読み取り値と生体インピーダンス読み取り値との間を循環する（すなわち、これらの読み取り値は、並列ではなく連続して行われる）ことが認識されている。このように、プロセッサは、生体インピーダンスの読み取りを行う間、ドライバとして中心線５０の一方の側のセンサ１２ａ、ｂと、コレクタとして中心線５０の他方の側のセンサ１２ａ、ｂの両方に電力を指示する。したがって、センサ対１２ａ及びセンサ対１２ｂの位置決めは、中心線５０、５６に関して対称であり得ることが認識されている。
【００３２】
図３及び図４を参照すると、コンピュータ装置１４は、感知データ４４をバンド外のコンピュータ装置４０に送るために使用することができ、その後、自らカスタマイズされたアプリケーション４３を使用して、感知データ４４を処理し、着用者が能動的に行うことができる可能性のある適応／変更についての身体的／精神的状態を着用者に知らせることができる。例えば、アプリケーション４３は、着用者の睡眠の質の指標として、経時的な温度と活動の組み合わせに関する感知データ４４を報告することができる。さらに、アプリケーション４３は（例えば、呼吸データ及び活動データと任意のＥＣＧデータとの組み合わせに基づいて）着用者の決定された感情状態を着用者に通知することができ、さらに、着用者によって行われたステップが決定された感情状態に積極的に影響を及ぼしているかどうかを着用者に通知するために、データの組み合わせの継続的なモニタリングを着用者に通知することができる。さらに、アプリケーション４３は例えば、ひずみゲージデータと活動データとの組み合わせに基づいて、着用者の活動の程度ならびに品質／性質を追跡し、報告することができる。さらにアプリケーションは、感知データ（例えば、活動、心拍数など）の組み合わせに基づいて、着用者の決定された気分及び／又は温度に応答して、これらに限定されないが音楽システム、暖房システム、照明システムなど、他の外部コンピュータネットワーク装置６０（図３を参照のこと）と互いに交流し合うことができる。
【００３３】
図５及び図６を参照すると、バンド１０の別の実施態様が分解図で示されている。特に、バンド１０は前バンド部６０と後バンド部６２とから構成され、この部分６０が通信経路３０を備えたセンサ１２ａ、ｂを有し、通信経路３０はセンサ１２ａ，ｂをそれぞれコネクタ６４に電気的に接続する（センサ１２ａ，ｂをネットワークインターフェース２０に電気的に接続するために、ＰＣＢ２６の各コネクタ部分に接続する（図３を参照））。バンド部分６２はバンド部分６０、６２が互いに組み立てられたときに（例えば、隣接して配置された表面７０を介して縫い合わせることによって互いに結合されたときに）センサ１２ａ、ｂが切欠き６６内に受け入れられるようにするための切欠き６６を有し、したがって、表面１１１が皮膚と接触するので、センサ１２ａ、ｂの表面６８が着用者の皮膚と接触するようになる。導電性経路３０は、バンド部分６０の材料を構成する電気絶縁性繊維と織り合わされた導電性繊維とすることができることが認識されている。
【００３４】
図７を参照すると、部分６０、６２が組み立てられ、センサ１２ａ、ｂが切欠き６６（図５、６参照）に受け入れられるように、センサ１２ａ、ｂの一方の例示的な側面図が示されている。なお、センサ１２ａ，ｂ自体が皮膚接触表面１１１から距離Ｘだけ伸びており、それゆえ着用者の皮膚への接触が改良されることに留意することが重要である。特に、センサ１２ａ、ｂは、表面１１１からのセンサ１２ａ、ｂの導電性部分７２のそれぞれの延長を提供するために、表面６８の導電性部分７２（すなわち、基材７４を通って延在する通信経路３０に結合される）ならびに高くされた基材７４を有することができる。例えば基材７４は、バンド部分６２の材料（すなわち、電気絶縁性繊維）を組み込んだ織物繊維と交互に配置された電気的に絶縁性の織り合わされた繊維から構成することができる。
【００３５】
図８を参照すると、バンド部分６０のさらなる実施形態が示されており、これは、バンド部分６０の材料を構成する他の絶縁性繊維と共に蛇行様式で編まれた／織られた歪みゲージセンサ１２ｃを示す。このように、図７に示すように、一旦組み立てられると、バンド部分６２は歪みゲージセンサ１２ｃを覆い、歪みセンサ１２ｃの導電性繊維との直接的な接触から着用者の皮膚を絶縁することが認識されている。図９は、歪みセンサ１２ｃのさらなる幾何学的構成を示す。
【００３６】
図５〜図８を参照すると、それらは、通信経路３０（例えば、配線）および歪みセンサ１２ｃ自体の例示的な幾何学的レイアウトを含むことが認識されている。センサ１２ａ、ｂ、ｃおよびバンド部分６０、６２の図示された構造は、（経路３０およびセンサ１２ｃの）パターン全体が織物の１つの組み立てられた（例えば、織り合わされた）層としてカバー部分６０、６２内に実際に含まれるので有利であるが、（経路３０およびセンサ１２ｃの）配線はニットパターンの内側で編まれ、したがって、その結果として絶縁され、したがって、配線から着用者の皮膚への望ましくない電荷の印加を抑制するために外部絶縁（接着剤、ラミネートなど）の必要性が抑えられる。さらに、センサ１２ａ、ｂ自体の３Ｄ形状（例えば、表面１１１からの延長）はセンサ１２ａ、ｂの皮膚との接触を改善することができ、乾燥または湿潤の様々な皮膚状態にわたる生体データの収集を提供することができる。
【００３７】
図１０を参照すると、各々がネットワーク２２を介して衣類アプリケーション１００でデータ４４、４５（すなわち、双方向）を送受信することができる装置アプリケーション１０２を有する複数のネットワーク装置１５とネットワーク２２を介して双方向通信する衣類アプリケーション１００が示されている。衣類アプリケーション１００はインターフェース２０（例えば、ＡＰＩ）を介して生体データ４４を受信し、次いで、装置６０上で実行される装置アプリケーション１０２を介してネットワーク装置６０の動作に影響を及ぼすために、データ４４（例えば、生又は他の方法で処理された）に基づいてコマンド４５を１又は複数のネットワーク装置６０に送信することができることが認識される。例えば、装置アプリケーション１０２はホームサーモスタット６０上で実行されるサーモスタットアプリケーション１０２とすることができ、したがって、サーモスタット６０に、サーモスタットによって制御される温度設定を上昇又は下降させるように命令することができ、以下の例によって説明されるさらなる双方向利用ケースがあることを認識する。
【００３８】
衣類アプリケーション１００は、衣類１１（例えば、シャツ、パンツ／ショーツ、ベスト、下着、帽子及び／又はバンド１０の一部として又はその外部に、センサ１２，３６を組み込んだ他の衣類タイプのいずれか）に組み込まれたセンサ１２，３６によって収集された生体データ４４を受け取る。衣類アプリケーション１００は他の外部コンピュータネットワーク装置６０と互いに交流し合うことができる（図１０を参照されたい、これらに限定されないが、例えば、音楽システム装置６０、暖房システム装置６０、照明システム装置６０、セキュリティシステム装置（例えば施錠／解錠ドア）及び衣類アプリケーション１００を介して衣類１１の着用者８と互いに交流し合うように構成された他の装置６０が挙げられる。衣類アプリケーション１００は例えば、これらに限定されないが、コンピュータ装置１４上で実行される衣類アプリケーション１００、外部装置４０（例えば、着用者のモバイル装置）上で実行される衣類アプリケーション１００及び／又は所望に応じてネットワークサーバ４１上の着用者アカウント上でホストされるクラウドベースの衣類アプリケーション１００のような、１又は複数のコンピュータプラットフォーム上で実行される１又は複数のアプリケーション１００とすることができることが認識される。いずれにしても、１又は多くの異なるホスト型衣類アプリケーション１００にかかわらず、衣類アプリケーション１００は、コンピュータプロセッサ１６によってセンサ１２、３６から収集された生体データ４４を受信し、任意選択で生体データ４４を処理又は分析し、データ４４（すなわち、生又は処理済み）を１又は複数の記憶された閾値又はルールセット４５（以下でさらに説明する）と比較して、それぞれのネットワーク装置６０の機能的挙動を修正するように装置アプリケーション１０２に命令するためのコマンド４５を生成し、コマンド４５をネットワーク装置６０と通信し、コマンド４５の受信に応答してネットワーク装置６０からのコマンドに対する応答４５を提供するように構成される。以下にさらに記述するように、コマンド４５は、感知データ４４（例えば、活動、心拍数など）の組み合わせに基づいて、着用者の決定された気分及び／又は温度に応答して、衣類アプリケーション１００によって生成され得る。
【００３９】
再び図１０を参照すると、衣類インタラクションサービス１０１は例えば、サーバ４１上で実施することができるが、必要に応じて、全部又は一部を外部装置４０上でホストすることもできる。衣類インタラクションサービス１０１（図１１参照）は、衣類アプリケーション１００に登録された着用者アカウント１１０と共に、ネットワーク装置６０のそれぞれの装置アプリケーション１０２に登録されたそれぞれの装置アカウント１１２を含む。アカウント１１０、１１２はネットワーク２２がその間でインタラクションする前に、サービス１０１に登録される。例えば、自身のホームサーモスタット６０及び自身のホーム照明システム６０及び自身のホームミュージックシステム６０を制御することを望む着用者８（これらの装置６０の機能のうちの１又は複数は、別個の装置アプリケーション１０２によってではなく、必要に応じて同じ装置アプリケーション１０２によって制御され得ることが認識される）はインタラクションサービス１０１に登録し、ネットワーク装置アプリケーション１０２を登録し、したがってアカウント１１０、１１２を作成することができる。アカウント１１０、１１２を使用して、インタラクションサービス１０１はデータ４４、コマンド４５、及び応答４５を受信することができ、それによって、衣類１１と装置６０との間のネットワーク２２のインタラクションを調整する際に使用するためのサードパーティサーバ／サービスとして働く。
【００４０】
アカウント１１０，１１２は、これらに限定されないが、以下のような登録情報を含むことができる：着用者のログイン及びパスワードアカウント情報、装置６０の動作のための着用者設定情報１１４（例えば、着用者パラメータ設定に基づく所望の装置６０の動作）、装置動作設定１１６（例えば、受信されたコマンド４５に基づいて修正するためにアクセス可能な許容機能）。例えば、着用者設定情報１１４に関して、これらに限定されないが、例えば、アクティブであるが幸福/満足であると考えられる着用者の気分のための「イージーリスニング」音楽、安静な状態（例えば睡眠など）で着用者を落ち着かせるのに使用する「静かなリスニング」音楽、着用者がより身体的にアクティブになるよう動機付けするのに使用する「アクティブリスニング」音楽のような、異なる着用者の気分のための音楽タイプ選択（音楽システム装置６０によって再生されるよう）を着用者が指定することができる。他の設定１１４としては、これらに限定はされないが、決定された着用者の活動レベル／精神状態に基づく所望の照明レベル（照明システム装置６０によって管理されるよう）、決定された着用者の活動レベル／精神状態に基づく所望の温度設定（暖房／冷房システム装置６０によって管理されるよう）、決定された着用者の活動レベル／精神状態に基づく自動車の動作モード（自動車システム装置６０によって管理されるよう）及び／又は、これらに限定はされないがアクチュエータ（例えば、着用者に電気／振動刺激を印加することができる電子センサ、着用者に熱を印加することができる暖房装置、熱除去又はそうでなければ着用者を冷却することができる冷房装置及び／又は感知され（例えば、アプリケーション１００を介して）処理された生体データ４４を使用して生成されたコマンド４５の受信に基づいてその機能状態を変更することができる任意の他の装置６０などの、衣類１１の布地上／中に常駐する機能装置６０に基づく衣類１１自体を含むことができる。着用者設定情報１１４の別の例は、着用者が特定の物理的位置（例えば、地理的位置Ｘは着用者の自宅を表し、地理的位置Ｙは着用者の仕事／雇用を表し、地理的位置Ｚは着用者の好みの趣味を表し、地理的位置Ｘ１は自宅内の着用者の位置（例えば寝室など）を表す）の定義を指定することができるような位置設定のためのものである。また、着用者設定情報１１４を使用して、装置１４と隣接する装置との共登録に基づいて着用者の環境を定義することができることも認識される（例えば、装置と外部装置４０とのペアリングを使用して、着用者がジムで運動している場合、車を運転している場合などを示すことができる）。したがって、衣類アプリケーション１００はセンサ／装置１３から取得された情報（例えば、自動車通信システム、外部装置４０に常駐するＧＰＳセンサなどの他の装置６０との現在のＢｌｕｅｔｏｏｔｈ（登録商標）接続性）に基づいて、着用者の活動／精神状態についても通知され得ることが認識される。
【００４１】
上記に鑑みて、衣類アプリケーション１００は、周期的（例えば、データ４４報告の決められた規則的な頻度）に及び／又は要求されるたびに（例えば、生成され、ネットワーク装置６０に送信され、よってネットワーク装置６０の動作状態を変更するコマンド４５に応答して）、生体データ４４を受信することに関与することが認識される。このようにして、スケジュールされた定期的及び／又は要求に応じて、衣類アプリケーション１００を使用して、ある期間にわたって着用者８の身体的／精神的状態をモニターすることができ、着用者設定１１４の指示にしたがって、受信され解釈された生体データ４４に基づいて、ネットワーク装置６０のうちの１又は複数の動作機能を調整することができる。
【００４２】
衣類アプリケーション１００は、２以上の異なるセンサタイプ（例えば、活動センサ及び温度センサ、温度センサ及びＥＣＧセンサ、活動センサ及び姿勢センサ、活動センサ及び位置センサなど）からの複数の生体データ４４を比較する際に使用するための複数のデータモデル１０９へアクセスできることが認識される。データモデル１０９はそれぞれ、着用者８の特定の所望の（又は望ましくない）身体的／精神的状態を定義する（例えば、着用者８によって定義されるように）一連のデータ４４の値の組み合わせを表す。例えばデータ４４は、１）自宅の位置（例えば寝室）、時刻（例えば夜間）、温度読み取り値（例えば昇音）及び活動読み取り値（例えば着用者の動き）からなり、２）衣類アプリケーション１１によって受け取ることができ、及び３）着用者８の所望の睡眠パターンを表すデータモデル１０９と比較され得る。データ４４が睡眠データモデル１０９の所望の睡眠パターンと一致する場合には、衣類アプリケーション１００がコマンド４５を生成せず、それによって睡眠データモデル１０９に関連付けられたネットワーク装置６０（例えば、サーモスタット６０、音楽システム６０等）を管理するか、さもなければ影響を与えようと試みる。
【００４３】
したがって、コマンド動作２００のための図１２を参照すると、衣類アプリケーション１００は、センサ１２、３６から収集／受信された複数のデータタイプを含む生体データ４４（ならびに外部装置４０などであるがこれに限定されない第三者装置によって提供される任意の他のデータ）を、データモデル１０９と比較２０４する。例えば、衣類アプリケーション１００は、衣類１１のセンサ１２、３６の各々から定期的に（例えば、１０秒毎に）データ４４を受信するように構成することができる。受信２０２されたデータ４４に応答して、衣類アプリケーション１００はデータ４４をモデル１０９の各々と比較２０４し、データ４４がデータモデル１０９の１以上と一致する（又は一致しない）場合に、１以上のコマンド４５を生成２０６することができる。データモデル１０９の各々は、データ４４が一致する（又は一致しない）場合に、どのアクションが適切であるか、及びデータモデル１０９に潜在的なデータパターンが、センサ１２、３６によって提供される（異なるデータタイプの）複数のデータ４４にどの程度一致するか、又は一致しないかを決定／示唆する際に使用するための一組の命令１１１（図１０参照）を有することが認識される。
【００４４】
睡眠例
図１２に続く、衣類アプリケーション１００の動作の一例は、着用者８の睡眠又は安静状態をモニター２００するためのものである。例えば、衣類アプリケーション１００によって受信２０２されたセンサ１２、３６データによる衣類１１は、着用者８の活動レベル（例えば、加速度計データ４４）、着用者８の温度レベル（例えば、温度センサデータ４４）及び着用者８の姿勢又は身体傾斜レベル（例えば、歪みセンサ又はジャイロスコープデータ４４）を示すことができる。衣類アプリケーション１００は、着用者８が睡眠データモデル１０９の睡眠パターンに一致する（例えば、安静睡眠を表す）か、又は一致しない（例えば、妨害された／フィットした完全睡眠を表す）睡眠エピソードを有するかどうかを決定２０５するために、これらの受信データ４４レベルを睡眠データモデル１０９の１以上の睡眠パターン／閾値と比較２０４することができる。ステップ２０６では、一致又は不一致の程度に基づいて、衣類アプリケーション１００は（命令１１１を介してデータモデル１０９に関連付けられるよう）ネットワーク装置６０のうちの１又は複数のためのコマンドを生成２０６し、そのコマンドを送信２０８し、ネットワーク装置６０からフィードバック４５（例えば、確認応答、ネットワーク装置６０の動作機能の変化又は変化の程度を示す応答など）を受信することができる。睡眠の例の場合、衣類アプリケーション１００はルールセット１１１に基づいて、定義された量だけ（例えば、２℃だけ）温度低下コマンド４５を生成２０６し、コマンド４５をサーモスタット６０に送信２０８する。衣類アプリケーション１００は、温度低下コマンドの確認４５をサーモスタット６０から受信することができ、その後、着用者８のさらなるデータ４４を（例えば、さらなるプログラムされた周期的又は要求されたデータを介して）モニター２１０して、さらなるデータモデル１０９比較２１２を介して、新しい／修正されたデータ４４（発行されたコマンド４５の結果）がデータモデル１０９によって表される着用者の活動／精神状態の所望の変化（例えば、改善）２１３を表すか、又はその改善の欠如を表すかを判定することができる。ステップ２１３における所望の変化の場合、衣類アプリケーション１００は、ネットワーク装置６０へのさらなるコマンド４５の発行を控え、したがって、データ４４のさらなる定期的な受信及びデータモデル１０９との比較を介して着用者８をモニター２０２し続ける。ステップ２１３で決定された変化／無変化によりさらなるコマンド４５が発行される必要がある場合（例えば、睡眠が改善されているが、モデル１０９のデータパターンで表されるような許容可能なレベルまでではない場合）、衣類アプリケーション１００はステップ２０６に戻る。
【００４５】
上記の例では、睡眠データモデル１０９の或る潜在的なデータパターンが着用者の温度が上昇し（例えば、着用者が高温すぎる）、着用者の活動／運動レベルも上昇する（例えば、着用者が寝返りしている、及び向きを変えている）場合である。発行されるコマンド４５はサーモスタットが室温を低下させることであり、衣類アプリケーション１００は温度変化の影響、例えば、着用者温度の低下をモニターする。その後、新たなデータ４４を介して着用者の活動レベルが睡眠データモデル１０９に定義されているように許容可能なレベルまでモニターされた低下を示すと、衣類アプリケーションは、ステップ２０２における動作に戻る。反対に、睡眠データモデル１０９で定義されたように許容できないレベルを表す新しいデータ４４を介して、着用者の活動レベルがその後のモニターされた上昇／不変を示すと、着用者の体温及び／又は活動レベルの低下を促進するために、室温の継続的な低下に努めて、衣類アプリケーションはステップ２０６における動作に戻る。
【００４６】
精神状態例
衣類アプリケーション１００及び装置アプリケーション１０２と対になった衣類１１の潜在的なアプリケーションの数は、多数であり得ることが認識される。さらなる例は衣類アプリケーション１００が身体活動レベルの対応する上昇なしに、上昇した心拍数（依然として許容可能な基準を有する、すなわち心臓発作を示さない）を検出する（すなわち、感知データ４４を介しての）場合である。着用者のこの身体状態は、定義されたように／データモデル１０９と一致するように、不安発作を示すことができるであろう。この場合、衣類アプリケーション１００はデータモデル１０９の命令１１１を介してプログラムされて、音楽システム６０のようなネットワーク装置６０に、静かな／瞑想的な音楽を流すように命令することができるであろう。衣類アプリケーション１００による身体状態の継続的なモニタリングは、ネットワーク装置６０の動作／機能状態への命令４５の変更が着用者の身体／精神状態に何らかの影響を及ぼしているかどうかを衣類アプリケーション１００が決定するために使用することができるであろう。
【００４７】
命令及びデータパターン１１１によるデータモデル１０９は、複数の様々なセンサ１２、３６のタイプ及びそれらのデータの組み合わせを介して、着用者８のより複雑な状態を定義するために使用され得ることが認識される。例えば、現在の精神状態（例えば、幸せ、悲しみ、不安、興奮、鎮静、抑うつ、リラックス等）は、その精神状態を表すデータモデル１０９に一致する（又は一致しない）複数の感知データ４４の組み合わせの結果として決定することができる。例えば、心拍数、呼吸数、温度、活動レベル、及び姿勢に関するデータ４４は、精神状態データモデル１０９によって表されるような精神状態モデル化に基づいて、着用者８の現在の精神状態を定義及び予測するために、組み合わせとして使用され得る。
【００４８】
通知緊急事態例
動作２００が図１２に示されるように、感知データ４４を使用して衣類アプリケーション１００によって実行される（すなわち、データモデル１０９との比較によって決定される）データモデル１０９の決定された一致／不一致を軽減又はそうでなければ取り除かない場合、衣類アプリケーション１００は、潜在的な緊急／危機事象を示す通知５０を指定された装置５２に送信するように設定１１４を介してプログラムされ得るであろうことも認識される。例えば、この指定された装置５０は、家族、医師、通知サービス、又は友人の装置であり得、当該装置は通知５２を受信し、着用者の活動／精神状態が通知され及び／又はそうでなければ何らかのアクションを実行するように促され得るであろう（例えば、着用者８に接触する、医師に接触するなど）（図１０を参照）。装置５２は着用者８の外部装置４０でもあり得、したがって、着用者８はそれらの状態の直接的な表示を提供される（例えば、「あなたは興奮しすぎなので、落ち着く必要があるかもしれない」）。
【００４９】
動作２００は例えば心臓発作、自動車事故、又は他の身体外傷、誘拐などの着用者８の実際の考慮される有害／緊急状態を決定するために使用され得、その結果、データモデル１０９はデータ４４がデータモデル１０９において定義される予想される基準／閾値の十分に外側（又は内側）であることを（データ４４をデータモデル１０９のルール及びデータパターン１１１と比較する衣類アプリケーション１００によって）示す／決定するために使用されることも認識される。例えば、データ４４はデータモデル１０９と比較した場合、心臓発作（例えば、ＥＣＧ読み取り値４４及び活動読み取り値４４を介して）、脳卒中（例えば、ＥＧＣ読み取り値４４及び活動レベル読み取り値４４）、誘拐（例えば、不安レベル読み取り値４４、活動レベル読み取り値４４、及び位置／位置変位の読み取り値４４）などを示すことができるであろう。
【００５０】
精神・身体活動例
さらなる例示的な動作２００は、個々の着用者８の計画された身体活動（例えば、サイクリング、ジョギング）のためのものであり得る。身体活動を表すデータモデル１０９は衣類アプリケーション１００によって使用することができ、着用者の生体データ４４をモニターし、かつ、活動を実行している着用者８に対してのコンピュータ装置１４（例えば音、光又は他の触覚コマンド／感覚）及び／又は外部装置４０（例えば、装置４０のスクリーン上の音及び／又はメッセージ）の提案を介して、着用者８に報告する。例えば、着用者８の水分補給レベル（例えば、身体状態）は感知データ４４及び活動を表すデータモデル１０９との比較を介して衣類アプリケーション１００によってモニターされ得、したがって、水分補給レベルが閾値の外側にあり（例えば、低すぎる）、したがって、着用者８が補正すべき（例えば、飲用による水分補給）であることを示す通知（例えば、コマンド４５）が着用者８に（すなわち、装置１４、４０を介して）送信され得る。再び、上述した動作２００のように、着用者８の動的な身体状態は（データ４４とデータモデル１０９との比較において）衣類アプリケーション１００によって継続的にモニターされ、したがって、さらなる提案（例えば、水分補給）が着用者８に送信される。代替的に、受け入れられた基準内で戻った検出された身体状態（例えば、水分補給）の通知４５を、継続的なモニタリングの結果として、着用者８に送ることができるであろう。
【００５１】
さらなる例示的な動作２００は、個々の着用者８の計画された身体活動（例えば、サイクリング、ジョギング）のためのものであり得る。精神的活動／状態を表すデータモデル１０９は衣類アプリケーション１００によって使用することができ、着用者の生体データ４４をモニターし、かつ、活動している着用者８に対してのコンピュータ装置１４（例えば、音、光、又は他の触覚コマンド／感覚）及び／又は外部装置４０（例えば、装置４０のスクリーン上の音及び／又はメッセージ）の提案を介して、着用者８に報告する。例えば、着用者８の集中レベル（例えば、精神状態）は、感知データ４４及び活動を表すデータモデル１０９（例えば、モニターされた身体姿勢、呼吸数、心拍数などの結果として）との比較を介して、衣類アプリケーション１００によってモニターされ得、したがって、集中レベルが閾値外（例えば、低すぎる）であり、したがって、着用者８が補正（例えば、再集中）すべきであることを示す通知（例えば、コマンド４５）が着用者８に（すなわち、装置１４，４０を介して）送信され得る。再び、上述した動作２００のように、着用者８の動的な精神状態は（データ４４とデータモデル１０９との比較において）衣類アプリケーション１００によって継続的にモニターされ、したがって、さらなる提案（例えば、再集中）４５が着用者８に送信される。代替的に、受け入れられた基準内で戻った検出された精神状態（例えば、集中）の通知４５を、継続的なモニタリングの結果として、着用者８に送ることもできるであろう。
【００５２】
また、データモデル１０９は特定の活動タイプパターンに一致する感知データ４４に基づいて、着用者８によって実行されている身体活動のタイプ（例えば、ヨガ、サイクリングなど）を検出するために使用され得ることが認識される。いったん検出されると、衣類アプリケーション１００は、検出された活動タイプを表す適切なデータモデル１０９を選択し、使用して、活動が行われているときの着用者８の状態（例えば、身体的／精神的）をモニターすることができるであろう。身体活動はこれらに限定されないが、以下のような活動であり得る；身体的スポーツ（例えば、サイクリング、ランニング、ウェイトトレーニングなど）のような活発な身体活動；非活発な身体活動／スポーツ（例えば、ダーツ、ヨガ、太極拳など）；着用者の就業場所でのコンピュータ作業などの活発な／集中的な精神活動；読書／リラクゼーション／音楽聴取／瞑想などのリラックスした精神活動；などであり得る。いずれにしても、データモデル１０９は動作２００に関して上述したように、必要なデータモデル１０９と比較して、感知データ４４に基づいて、着用者８の身体的／精神的活動を任意に検出し、またモニターするためにも使用され得ることが認識される。
【００５３】
また、例えばネットワーク２２を介してサービス１０１によって提供される生体データ４４に他のネットワーク装置６０（またはそれらの関連するアプリケーション１０２、またはサードパーティアプリケーション１０２さえも）が承認するコマンド・フローの例も提供される。装置６０はサービス１０１から（または装置１４、４０を介して着用者８から直接に）データ４４を受信し、その比較に基づいて、どのアクション（例えば、着用者８に、またはネットワーク２２を介して他のサードパーティ装置に通知／通信／コマンド４５などを送信する）をとるべきかについての決定を行うために、意思決定基準（例えば、上述のようにデータ４４とデータモデル１０９との比較と同様）を適用する。
【図１】
2020527065.tif 000003
【図２】
2020527065.tif 000004
【図３】
2020527065.tif 000005
【図４】
2020527065.tif 000006
【図５】
2020527065.tif 000007
【図６】
2020527065.tif 000008
【図７】
2020527065.tif 000009
【図８】
2020527065.tif 000010
【図９】
2020527065.tif 000011
【図１０】
2020527065.tif 000012
【図１１】
2020527065.tif 000013
【図１２】
2020527065.tif 000014
【国際調査報告】
2020527065.tif 000015
2020527065.tif 000016